【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】
複数の記録素子を有した記録ヘッドを時分割駆動させることで記録を行う記録装置であって、
前記複数の記録素子を複数のブロックに分割する分割手段と、
当該分割手段によって得られた前記複数のブロックから、各記録領域に対する記録に用いるブロックを選択する選択手段と、
前記選択手段によって選択された複数のブロックに含まれる複数の記録素子を順次、時分割駆動する時分割駆動手段と、
各記録領域間の駆動遅延時間を、１つのブロックを駆動させるために必要な時間と、前記分割手段により分割された複数のブロックに時分割駆動順に順番を付けた場合に、前記時分割駆動手段が駆動する最初のブロックよりも従前の順番で時分割駆動されるブロックを駆動するために必要な時間とに基づいて算出することで得られる時間となるように設定し、設定した駆動遅延時間だけ駆動タイミングを遅延させながら時分割駆動するように、前記時分割駆動手段を制御する制御手段と
を有することを特徴とする記録装置。
【請求項２】
前記複数の記録素子群は、記録する色毎に設けられていることを特徴とする請求項１に記載の記録装置。
【請求項３】
前記記録ヘッドはインクジェット方式に従った記録を行うことを特徴とする請求項１に記載の記録装置。
【請求項４】
前記記録ヘッドは、インクを吐出するために熱エネルギーを用い、そのエネルギーを発生するために電熱変換体を備えることを特徴とする請求項３に記載の記録装置。
【請求項５】
複数の記録素子を有した記録ヘッドを時分割駆動させることで記録を行う記録方法であって、
前記複数の記録素子を複数のブロックに分割する分割工程と、
当該分割工程で得られた前記複数のブロックから、各記録領域に対する記録に用いるブロックを選択する選択工程と、
前記選択工程で選択された複数のブロックに含まれる複数の記録素子を順次、時分割駆動する時分割駆動工程と、
各記録領域間の駆動遅延時間を、前記選択工程で選択された複数のブロックを駆動するために必要な時間と、前記分割工程で分割された複数のブロックに時分割駆動順に順番を付けた場合に、前記時分割駆動工程で駆動される最初のブロックの時分割駆動順よりも従前の順番で時分割駆動されるブロックを駆動するために必要な時間とに基づいて算出することで得られる時間となるように設定し、設定した駆動遅延時間だけ駆動タイミングを遅延させながら時分割駆動するように、前記時分割駆動工程を制御する制御工程と
を有することを特徴とする記録方法。
【請求項６】
複数のブロックに分割されている複数の記録素子を有した記録ヘッドを時分割駆動させることで記録を行う記録装置の記録動作を実行させるプログラムであって、
当該プログラムは、
前記複数の記録素子を複数のブロックに分割する分割工程と、
当該分割工程で得られた前記複数のブロックから、各記録領域に対する記録に用いるブロックを選択する選択工程と、
前記選択工程で選択された複数のブロックに含まれる複数の記録素子を順次、時分割駆動する時分割駆動工程と、
各記録領域間の駆動遅延時間を、前記選択工程で選択された複数のブロックを駆動するために必要な時間と、前記分割工程で分割された複数のブロックに時分割駆動順に順番を付けた場合に、前記時分割駆動工程で駆動される最初のブロックの時分割駆動順よりも従前の順番で時分割駆動されるブロックを駆動するために必要な時間とに基づいて算出することで得られる時間となるように設定し、設定した駆動遅延時間だけ駆動タイミングを遅延させながら時分割駆動するように、前記時分割駆動工程を制御する制御工程と
を前記記録装置に実行させることを特徴とするプログラム。
【請求項７】
請求項６に記載のプログラムを格納する記憶媒体。
【請求項８】
複数の記録素子を有した記録ヘッドと、前記複数の記録素子を複数のブロックに分割する分割手段とを有し、前記記録ヘッドを走査しながら記録を行う記録装置において、
カラム位置を示す信号に基づいて記録ヘッドの走査方向についての記録位置に対応する信号を生成する生成回路と、
前記生成回路で生成された信号に基づいて、カラムをカウントするカラムカウンタと、
前記信号に基づいて記録に用いるブロックを前記記録ヘッドに出力するブロック発生回路と、
前記カラムカウンタのカウント値と前記信号に基づいて画像データを前記記録ヘッドに転送する転送回路と、
を有することを特徴とする記録装置。
【請求項９】
記録データを記憶する記録データメモリをさらに有し、
前記記録データメモリは、前記カウント値に基づいて記録データを前記転送回路に出力することを特徴とする請求項８に記載の記録装置。
【請求項１０】
記録に用いるブロックを記憶する駆動ブロックメモリをさらに有し、
前記駆動ブロックメモリは、前記カウント値に基づいて前記走査位置とブロック順番に対応する信号を前記ブロック発生回路に出力することを特徴とする請求項８または９に記載の記録装置。
【請求項１１】
前記信号をトリガとして複数の信号を生成する回路をさらに有し、
前記ブロック発生回路は、前記複数の信号の少なくとも一つの信号に基づいて前記記録に用いるブロックを前記記録ヘッドに出力することを特徴とする請求項８乃至１０のいずれかに記載の記録装置。
【請求項１２】
複数の記録素子を有した記録ヘッドと、前記複数の記録素子を複数のブロックに分割する分割手段とを有し、前記記録ヘッドを走査しながら記録を行う記録装置において、
前記記録ヘッドの走査方向の位置を示すカラム単位の信号を入力して記録ヘッドの走査方向についての記録位置に対応する信号を遅らせて出力する遅延回路と、
前記遅延回路で生成された信号に基づいて、カラムをカウントするカラムカウンタと、
前記遅延回路で生成された信号に基づいて生成された前記カラムを分割する信号に基づいて、記録に用いるブロックに対応する情報を前記記録ヘッドに出力するブロック発生回路と、
前記カラムカウンタのカウント値と前記カラムを分割する信号に基づいて画像データを前記記録ヘッドに転送する転送回路と、
を有することを特徴とする記録装置。
【手続補正２】
【補正対象書類名】明細書
【補正対象項目名】０００８
【補正方法】変更
【補正の内容】
【０００８】
すなわち、複数の記録素子を有した記録ヘッドを時分割駆動させることで記録を行う記録装置であって、
前記複数の記録素子を複数のブロックに分割する分割手段と、
当該分割手段によって得られた前記複数のブロックから、各記録領域に対する記録に用いるブロックを選択する選択手段と、
前記選択手段によって選択された複数のブロックに含まれる複数の記録素子を順次、時分割駆動する時分割駆動手段と、
各記録領域間の駆動遅延時間を、１つのブロックを駆動させるために必要な時間と、前記分割手段により分割された複数のブロックに時分割駆動順に順番を付けた場合に、前記時分割駆動手段が駆動する最初のブロックよりも従前の順番で時分割駆動されるブロックを駆動するために必要な時間とに基づいて算出することで得られる時間となるように設定し、設定した駆動遅延時間だけ駆動タイミングを遅延させながら時分割駆動するように、前記時分割駆動手段を制御する制御手段と
を有することを特徴とする。
【手続補正３】
【補正対象書類名】明細書
【補正対象項目名】００１０
【補正方法】変更
【補正の内容】
【００１０】
すなわち、複数の記録素子を有した記録ヘッドを時分割駆動させることで記録を行う記録方法であって、
前記複数の記録素子を複数のブロックに分割する分割工程と、
当該分割工程で得られた前記複数のブロックから、各記録領域に対する記録に用いるブロックを選択する選択工程と、
前記選択工程で選択された複数のブロックに含まれる複数の記録素子を順次、時分割駆動する時分割駆動工程と、
各記録領域間の駆動遅延時間を、前記選択工程で選択された複数のブロックを駆動するために必要な時間と、前記分割工程で分割された複数のブロックに時分割駆動順に順番を付けた場合に、前記時分割駆動工程で駆動される最初のブロックの時分割駆動順よりも従前の順番で時分割駆動されるブロックを駆動するために必要な時間とに基づいて算出することで得られる時間となるように設定し、設定した駆動遅延時間だけ駆動タイミングを遅延させながら時分割駆動するように、前記時分割駆動工程を制御する制御工程と
を有することを特徴とする。
【手続補正４】
【補正対象書類名】明細書
【補正対象項目名】００１１
【補正方法】変更
【補正の内容】
【００１１】
本発明の目的を達成するために、例えば本発明のプログラムは以下の構成を備える。
【手続補正５】
【補正対象書類名】明細書
【補正対象項目名】００１２
【補正方法】変更
【補正の内容】
【００１２】
すなわち、複数のブロックに分割されている複数の記録素子を有した記録ヘッドを時分割駆動させることで記録を行う記録装置の記録動作を実行させるプログラムであって、
当該プログラムは、
前記複数の記録素子を複数のブロックに分割する分割工程と、
当該分割工程で得られた前記複数のブロックから、各記録領域に対する記録に用いるブロックを選択する選択工程と、
前記選択工程で選択された複数のブロックに含まれる複数の記録素子を順次、時分割駆動する時分割駆動工程と、
各記録領域間の駆動遅延時間を、前記選択工程で選択された複数のブロックを駆動するために必要な時間と、前記分割工程で分割された複数のブロックに時分割駆動順に順番を付けた場合に、前記時分割駆動工程で駆動される最初のブロックの時分割駆動順よりも従前の順番で時分割駆動されるブロックを駆動するために必要な時間とに基づいて算出することで得られる時間となるように設定し、設定した駆動遅延時間だけ駆動タイミングを遅延させながら時分割駆動するように、前記時分割駆動工程を制御する制御工程と
を前記記録装置に実行させることを特徴とする。
本発明の目的を達成するために、例えば本発明の記録装置は以下の構成を備える。
すなわち、複数の記録素子を有した記録ヘッドと、前記複数の記録素子を複数のブロックに分割する分割手段とを有し、前記記録ヘッドを走査しながら記録を行う記録装置において、
カラム位置を示す信号に基づいて記録ヘッドの走査方向についての記録位置に対応する信号を生成する生成回路と、
前記生成回路で生成された信号に基づいて、カラムをカウントするカラムカウンタと、
前記信号に基づいて記録に用いるブロックを前記記録ヘッドに出力するブロック発生回路と、
前記カラムカウンタのカウント値と前記信号に基づいて画像データを前記記録ヘッドに転送する転送回路と、
を有することを特徴とする。
本発明の目的を達成するために、例えば本発明の記録装置は以下の構成を備える。
すなわち、複数の記録素子を有した記録ヘッドと、前記複数の記録素子を複数のブロックに分割する分割手段とを有し、前記記録ヘッドを走査しながら記録を行う記録装置において、
前記記録ヘッドの走査方向の位置を示すカラム単位の信号を入力して記録ヘッドの走査方向についての記録位置に対応する信号を遅らせて出力する遅延回路と、
前記遅延回路で生成された信号に基づいて、カラムをカウントするカラムカウンタと、
前記遅延回路で生成された信号に基づいて生成された前記カラムを分割する信号に基づいて、記録に用いるブロックに対応する情報を前記記録ヘッドに出力するブロック発生回路と、
前記カラムカウンタのカウント値と前記カラムを分割する信号に基づいて画像データを前記記録ヘッドに転送する転送回路と、
を有することを特徴とする。